(57)【要約】【課題】  従来の電話機においては、網が発呼の受付けをしなかった場合にも発呼回数のカウントが行われる。例えば、ＰＨＳ端末装置や携帯電話機において、圏外から発呼した場合や、相手が話中でリンク確立ができなかった場合にも発呼回数のカウントが行われ、不適切な発呼の回数を反映するという問題点があった。【解決手段】  発呼及び着呼がなされた場合に、発呼及び着呼が網に受け付けられたか否かを制御部５にて検出し、網による呼の受付けを検出した場合に、発呼及び着呼のカウントを行う。【選択図】  図１
2006211695.tif 000002
【特許請求の範囲】
【請求項１】
発呼がなされた場合に、発呼が網に受け付けられたか否かを検出する発呼受付検出手段と
、
この発呼受付検出手段が網による発呼の受け付けを検出した場合に、発呼のカウントを
行う発呼カウント手段と、
着呼がなされた場合に、着呼が網に受け付けられたか否かを検出する着呼受付検出手段と
、
この着呼受付検出手段が網による着呼の受け付けを検出した場合に、着呼のカウントを
行う着呼カウント手段と、
前記発呼カウント手段及び前記着呼カウント手段のカウントに基づいたカウント値を計数
する計数手段と
を具備したことを特徴とする電話装置。
【請求項２】
発呼がなされた場合に、発呼が網に受け付けられたか否かを検出する発呼受付検出手段と
、
この発呼受付検出手段が網による発呼の受け付けを検出した場合に、発呼のカウントを
行う発呼カウント手段と、
着呼がなされた場合に、着呼が網に受け付けられたか否かを検出する着呼受付検出手段と
、
この着呼受付検出手段が網による着呼の受け付けを検出した場合に、着呼のカウントを
行う着呼カウント手段と、
発呼または着呼の一方の呼があった場合にはカウント値を減少させ、もう一方の呼があっ
た場合にはカウント値を増加させる計数手段と
を具備したことを特徴とする電話装置。
【請求項３】
前記発呼受付検出手段または前記着呼受付検出手段は、相手または自装置が応答したこと
を網が検出したことに応じて送信される呼制御信号が到来したときに、呼受付を検出する
ことを特徴とする請求項１または２のいずれか１項に記載の電話装置。
【請求項４】
前記発呼受付検出手段または前記着呼受付検出手段は、オフフックがあると、呼受付を検
出することを特徴とする請求項１または２のいずれか１項に記載の電話装置。
【請求項５】
前記発呼受付検出手段または前記着呼受付検出手段は、通話の音声を検出して、呼受付を
検出することを特徴とする請求項１または２のいずれか１項に記載の電話装置。
【請求項６】
前記計数手段によるカウント値を出力する出力手段をさらに具備し、前記計数手段は、氏
名または電話番号毎に計数を行ない、この氏名または電話番号を前記出力手段にカウント
値とともに表示することを特徴とする請求項１または２のいずれか１項に記載の電話装置
。
【発明の詳細な説明】
【技術分野】
【０００１】
この発明は、発呼と着呼の回数を適切に把握することの可能な電話装置に関する。
【背景技術】
【０００２】
従来、電話機においては、電話番号毎に発呼回数をカウントしておき、これを加工して
発呼回数ランキングなど表示することが行われている。
【発明の開示】
【発明が解決しようとする課題】
【０００３】
しかしながら、従来の電話機においては、発呼が成立しなかった場合、つまり、網が発
呼の受付けをしなかった場合にも発呼回数のカウントが行われる。例えば、ＰＨＳ端末装
置や携帯電話機において、圏外から発呼した場合や、相手が話中でリンク確立ができなか
った場合にも発呼回数のカウントが行われ、不適切な発呼の回数を反映するという問題点
があった。
【０００４】
本発明は上記のような従来の電話装置が有する問題点を解決せんとしてなされたもので
、その目的は、網の状態を反映して発呼または着呼の回数をカウントすることができる電
話装置を提供することである。
【課題を解決するための手段】
【０００５】
本発明の請求項１に記載の電話装置は、発呼がなされた場合に、発呼が網に受け付けら
れたか否かを検出する発呼受付検出手段と、この発呼受付検出手段が網による発呼の受け
付けを検出した場合に、発呼のカウントを行う発呼カウント手段と、着呼がなされた場合
に、着呼が網に受け付けられたか否かを検出する着呼受付検出手段と、この着呼受付検出
手段が網による着呼の受け付けを検出した場合に、着呼のカウントを行う着呼カウント手
段と、前記発呼カウント手段及び前記着呼カウント手段のカウントに基づいたカウント値
を計数する計数手段とを具備したことを特徴とする。これにより、網側の呼受付状態を適
切に反映して、発呼及び着呼のカウントが行われる。
【０００６】
本発明の請求項２に記載の電話装置は、発呼がなされた場合に、発呼が網に受け付けられ
たか否かを検出する発呼受付検出手段と、この発呼受付検出手段が網による発呼の受け付
けを検出した場合に、発呼のカウントを行う発呼カウント手段と、着呼がなされた場合に
、着呼が網に受け付けられたか否かを検出する着呼受付検出手段と、この着呼受付検出手
段が網による着呼の受け付けを検出した場合に、着呼のカウントを行う着呼カウント手段
と、発呼または着呼の一方の呼があった場合にはカウント値を減少させ、もう一方の呼が
あった場合にはカウント値を増加させる計数手段とを具備したことを特徴とする。これに
より、発呼回数と着呼回数の大小が明らかになる。
【０００７】
本発明の請求項３に記載の電話装置では、前記発呼受付検出手段または前記着呼受付検
出手段は、相手または自装置が応答したことを網が検出したことに応じて送信される呼制
御信号が到来したときに、呼受付を検出することを特徴とする。これにより、相手または
自装置が応答したことを網が検出したことに応じて送信される呼制御信号が到来したとき
に、発呼または着呼のカウントが行われる。
【０００８】
本発明の請求項４に記載の電話装置では、前記発呼受付検出手段または前記着呼受付検
出手段は、オフフックがあると、呼受付を検出することを特徴とする。これにより、着呼
の場合にオフフックがなされたときに、着呼のカウントが行われる。
【０００９】
本発明の請求項５に記載の電話装置では、前記発呼受付検出手段または前記着呼受付検
出手段は、通話の音声を検出して、呼受付を検出することを特徴とする。これにより、通
話が行われたときに、発呼または着呼のカウントが行われる。
【００１０】
本発明の請求項６に記載の電話装置では、前記計数手段によるカウント値を出力する出
力手段をさらに具備し、前記計数手段は、氏名または電話番号毎に計数を行ない、この氏
名または電話番号を前記出力手段にカウント値とともに表示することを特徴とする。これ
により、電話番号に対応して、発呼及び着呼の回数が明らかになる。また、カウント結果
が出力され、発呼と着呼のカウント結果を知ることができる。
【発明の効果】
【００１１】
以上説明したように請求項１に記載の電話装置によれば、発呼及び着呼が網に受け付け
られたか否かを検出して、発呼及び着呼のカウントを行うので、適切に発呼及び着呼のカ
ウントを行うことができる。
【００１２】
以上説明したように請求項２に記載の電話装置によれば、発呼または着呼の一方の呼があ
った場合にはカウント値を減少させ、もう一方の呼があった場合にはカウント値を増加さ
せるので、発呼回数と着呼回数の大小が明らかになる。
【００１３】
以上説明したように請求項３に記載の電話装置によれば、相手または自装置が応答した
ことを網が検出したことに応じて送信される呼制御信号が到来したときに、呼受付を検出
するので、適切に発呼または着呼のカウントを行うことができる。
【００１４】
以上説明したように請求項４に記載の電話装置によれば、オフフックがあると、呼受付
を検出するので、適切に着呼のカウントを行うことができる。
【００１５】
以上説明したように請求項５に記載の電話装置によれば、音声を検出して、通話への移
行を検出するので、適切に発呼または着呼のカウントを行うことができる。
【００１６】
以上説明したように請求項６に記載の電話装置によれば、氏名または電話番号毎に計数
を行ない、この氏名または電話番号をカウント値とともに表示するので、電話番号に対応
して、発呼及び着呼の回数が明らかになる。また、カウント結果が出力され、発呼と着呼
のカウント結果を知ることができる。
【発明を実施するための最良の形態】
【００１７】
以下添付図面を参照して本発明の実施の形態に係る電話装置を説明する。各図において
、同一の構成要素には同一の符号を付して重複する説明を省略する。この例では、ＰＨＳ
（パーソナル・ハンディーホン・システム）端末装置を説明するが、本発明はこれに限ら
ず、携帯電話機、有線回線に接続される電子電話機、構内交換機のシステム等として実現
可能である。
【００１８】
図１には、本発明の実施の形態に係るＰＨＳ端末装置の構成図が示されている。ＰＨＳ
端末装置は、無線部１、モデム部２、ＴＤＭＡ部３、通話部４、制御部５、電源部６を備
えている。無線部１にはアンテナ１１が接続され、通話部４にはマイクロホン４４とゲイ
ンコントローラ４６とが接続されている。ゲインコントローラ４６には、増幅器４５を介
してスピーカ４３が接続されている。また、制御部５には、キー入力部５１、表示部５２
、計時回路５３、サウンダ５４、バイブレータユニット５５、ＲＡＭ５６、プログラムＦ
ＲＯＭ５７、録再ＦＲＯＭ５８、ＥＥＰＲＯＭ５９が接続されている。
【００１９】
上記無線部１には、信号を受信しダウンコンバートする受信部１３、信号を送信の周波
数へアップコンバートする送信部１５、これら受信部１３及び送信部１５に対しダウンと
アップのコンバート用の周波数を与えるシンセサイザ１４、受信部１３と送信部１５を切
り換えてアンテナ１１に接続するスイッチ１２、受信電界の強度を検出する受信電界強度
検出部１６が設けられている。
【００２０】
モデム部２には、信号を復調する復調部２１と、信号を変調する変調部２２とが設けら
れている。ＴＤＭＡ部３には、タイムスロットから信号を取り出すＴＤＭＡデコ−ド部３
１と、所定のタイムスロットに信号を挿入するＴＤＭＡエンコード部３２とが備えられて
いる。また、通話部４には適応差分によるＰＣＭコード化及びデコードを行う適応差分Ｐ
ＣＭコーデック４１、ＰＣＭによるコード化及びデコードを行うＰＣＭコーデック４２が
設けられている。
【００２１】
制御部５は、プロセッサ等により構成され、プログラムＦＲＯＭ５７に記憶されている
プログラムにより各部を制御する。キー入力部５１は、ダイヤルキーや各種の機能キーを
有する。表示部５２は、例えば、ドット表示可能なＬＣＤにより構成されている。計時回
路５３は、制御部５が参照する時間を提供する。サウンダ５４は、着信音を発生するため
に用いられる。バイブレータユニット５５は、振動により着信を知らせる。ＲＡＭ５６は
、制御部５がワーキング領域として用いる。プログラムＦＲＯＭ５７は書き換え可能なＲ
ＯＭであり、制御部５が用いるプログラムが記憶されている。録再ＦＲＯＭ５８は書き換
え可能なＲＯＭであり、通話時の音声データ等が記憶される。ＥＥＰＲＯＭ５９は、電話
帳データや発呼と着呼のカウント値等が記憶される。
【００２２】
電源部６には、二次電池からなるバッテリ６１と、このバッテリ６１の電圧を所定電圧
Ｖｃｃとして各部に与える電源回路６２とが備えられている。
【００２３】
以上の構成のＰＨＳ端末装置において、公衆基地局または家庭用基地局から到来する無
線周波信号は、アンテナ１１で受信される。受信信号はスイッチ１２を介して受信部１３
に到り、シンセサイザ１４から出力される信号とミキシングされてダウンコンバートされ
る。このとき、シンセサイザ１４の発振周波数は制御部５からの制御により無線チャネル
周波数に応じて変更されている。ダウンコンバートされた信号は、復調部２１へ送られて
ディジタル復調されＴＤＭＡデコード部３１へ送られる。ＴＤＭＡデコード部３１は、制
御部５の制御下において、自装置に割り当てられたタイムスロットから信号を取り出し、
制御信号の場合は制御部５へ送り、また、通話信号の場合には適応差分ＰＣＭコーデック
４１へ送る。適応差分ＰＣＭコーデック４１では、通話信号の適応差分によるＰＣＭデコ
ードが行われ、この信号はＰＣＭコーデック４２においてＰＣＭデコードが行われアナロ
グ信号に変換される。アナログ化された通話信号は、ゲインコントローラ４６、増幅器４
５にて増幅されスピーカ４３から音声とされて出力される。
【００２４】
なお、無線部１に設けられている受信電界強度検出部１６は、受信に係る無線周波信号
の電界強度を検出し、検出値を制御部５に通知している。
【００２５】
一方、マイクロホン４４から入力された音声は、音声信号とされてＰＣＭコーデック４
２及び適応差分ＰＣＭコーデックにより順次にディジタル化され、ＴＤＭＡエンコード部
３２へ送られて自装置に割り当てられたタイムスロットに挿入される。この信号は、変調
部２２へ送られて変調され、送信部１５へ送られてシンセサイザ１４から出力される信号
とミキシングされてアップコンバートされる。送信部１５の出力信号はスイッチ１２を介
してアンテナ１１から無線送信される。
【００２６】
また、制御部５が送信する制御信号は、ＴＤＭＡエンコード部３２へ送られて自装置が
確保したチャネルのタイムスロットに挿入されて、上記通話信号と同一の経路を介して送
信される。
【００２７】
以上のように構成されたＰＨＳ端末装置は、発呼時に図２に示すシーケンスにより発呼
動作を行う。この図において、ＰＳは、ＰＨＳ端末装置を示し、ＣＳは、基地局を示す。
先ず、キー入力部５１のオフフックボタン等が操作され、オフフックを検出すると、制御
部５は制御チャネルを介して基地局へリンクチャネル確立メッセージ１０１を送出する。
基地局は、これを受取り、空いているリンク（通話）チャネルを検出して、当該リンクチ
ャネルの割当メッセージ１０２を制御チャネルを介して送ってくる。これに応えて、制御
部５は割当てられたリンクチャネルを使用して同期バースト１０３を送信し、同期が確立
すると、逆に基地局から同期バースト１０４を送信する。
【００２８】
同期が確立すると、制御部５は確認型情報転送動作モードの設定開始をＳＡＢＭ信号１
０５により通知し、これを受けた基地局は初期設定の確認をＵＡ信号１０６により返送す
る。これを受けた制御部５は、呼設定メッセージ１０７を送信する。この呼設定メッセー
ジ１０７は、基地局から網へ送信され、網が呼が正当なものであることを検出すると、呼
設定受付メッセージ１０８を返送してくる。
【００２９】
ＰＨＳ端末装置に通知情報受信指示が設定されている場合、制御部５は、定義情報要求メ
ッセージ１０９を送信する。これを受けた網は、定義情報応答１１０により通知情報を返
送する。ＲＴ（無線管理）機能要求の指示が設定されている場合、制御部５は機能要求メ
ッセージ１１１を送信する。それを受けた網は、機能要求応答メッセージ１１２によりＲ
Ｔ機能を返送する。
【００３０】
更に、制御部５は、秘匿鍵設定メッセージ１１３により秘匿鍵を網に通知する。ＭＭ（
移動管理）機能要求の指示が設定されている場合、制御部５は機能要求メッセージ１１４
を送信する。これを受けた網は、機能要求応答メッセージ１１５によりＭＭ機能を返送す
る。次に、網は認証乱数を発生し、乱数を認証要求メッセージ１１６を通知する。制御部
５はこれを受け取り、自身が有している認証鍵を用いて乱数を暗号化し、認証応答メッセ
ージ１１７により網に送信する。この暗号を受け取った網は、ＰＨＳ端末装置と同一の認
証鍵を用いて送った乱数を暗号化し、これと受信した暗号が一致するかどうかを判断する
。判断の結果、不一致となると、呼切断復旧の規則に従って呼解放手順を開始する。判断
の結果、一致となると、呼接続を継続する。
【００３１】
網は、確認型情報転送動作モードの解除をＤＩＳＣ信号１１８により通知する。これを
受けた制御部５は、解除の確認をＵＡ信号１１９により返送する。着ユーザ呼出しが開始
されたことの表示を網が受信すると、網は呼出メッセージ１２０により通知する。また、
リングバックトーン１２１が送られてくるので、これは受信通話信号と同様にスピーカ４
３から出力する。網は、着ユーザが応答したことを検出すると、応答メッセージ１２２を
通知してくる。これにより、着ユーザ側との通話１２３が開始される。
【００３２】
一方、着呼の場合には、図３に示すように網から着呼メッセージ２０１が送られてくる
ので、制御部５は制御チャネルを介して基地局へリンクチャネル確立メッセージ２０２を
送出する。基地局は、これを受取り、空いているリンク（通話）チャネルを検出して、当
該リンクチャネルの割当メッセージ２０３を制御チャネルを介して送ってくる。これに応
えて、制御部５は割当てられたリンクチャネルを使用して同期バースト２０４を送信し、
同期が確立すると、逆に基地局から同期バースト２０５を送信する。
【００３３】
同期が確立すると、制御部５は確認型情報転送動作モードの設定開始をＳＡＢＭ信号２
０６により通知し、これを受けた基地局は初期設定の確認をＵＡ信号２０７により返送す
る。これを受けた制御部５は、着呼応答メッセージ２０８を網に対して送信する。着呼応
答メッセージ２０８を受信した網は、呼設定メッセージ２０９を送信してくる。これを受
けた制御部５は、呼設定受付メッセージ２１０を返送する。
【００３４】
ＰＨＳ端末装置に通知情報受信指示が設定されている場合、制御部５は、定義情報要求
メッセージ２１１を送信する。これを受けた網は、定義情報応答２１２により通知情報を
返送する。ＲＴ（無線管理）機能要求の指示が設定されている場合、制御部５は機能要求
メッセージ２１３を送信する。それを受けた網は、機能要求応答メッセージ２１４により
ＲＴ機能を返送する。
【００３５】
更に、制御部５は、秘匿鍵設定メッセージ２１５により秘匿鍵を網に通知する。ＭＭ（
移動管理）機能要求の指示が設定されている場合、制御部５は機能要求メッセージ２１６
を送信する。これを受けた網は、機能要求応答メッセージ２１７によりＭＭ機能を返送す
る。次に、網は認証乱数を発生し、乱数を認証要求メッセージ２１８を通知する。制御部
５はこれを受け取り、自身が有している認証鍵を用いて乱数を暗号化し、認証応答メッセ
ージ２１９により網に送信する。この暗号を受け取った網は、ＰＨＳ端末装置と同一の認
証鍵を用いて送った乱数を暗号化し、これと受信した暗号が一致するかどうかを判断する
。判断の結果、不一致となると、呼切断復旧の規則に従って呼解放手順を開始する。判断
の結果、一致となると、呼接続を継続する。
【００３６】
制御部５はサウンダ５４により呼出音を発生して着信を表示し、呼出中を示す呼出メッ
セージ２２０を網に送信する。そして、制御部５はオフフックされるのを検出し、オフフ
ックがあると、応答メッセージ２２１を網に対して送る。応答を確認した網は応答確認メ
ッセージ２２２を返送し、確認型情報転送動作モードの解除をＤＩＳＣ信号２２３により
通知する。これを受けた制御部５は、解除の確認をＵＡ信号２２４により返送する。そし
て、発ユーザ側との通話２２５が開始される。
【００３７】
図２により説明した発呼の過程において、制御部５は図４に示されるフローチャートに
対応したプログラムに基づき、発呼のカウントを行う。即ち、図２に示すように、ＰＨＳ
端末装置と基地局との間においてＰＨＳ端末装置からの発呼によるシーケンスの処理が行
われ、基地局からリングバックトーン（ＲＢＴ１２１）がＰＨＳ端末装置に対して送信さ
れると、制御部５はＣＣ応答信号（図２の１２２）の到来を待つ（Ｓ１（呼受付検出手段
））。ＣＣ応答信号が到来しなければ、オンフックとなり発呼が中止されたのかを検出し
（Ｓ２）、オンフックを検出すると終話に移行し、オンフックが検出されなければステッ
プＳ１へ戻ってＣＣ応答信号の到来を待つ。そして、ＣＣ応答信号が到来すると、発呼の
カウントを行い（Ｓ３（カウント手段））、通話を行うモードへ移行する。このように、
本実施の形態では、着ユーザが応答したことを網が検出したことに基づき送信してくるＣ
Ｃ応答信号により網による呼受付がなされたことを検出している。このため、相手が話中
等により通話ができない場合は、発呼のカウントがなされず適切な呼数を得ることができ
る。
【００３８】
例えば、ＥＥＰＲＯＭ５９には、図６に示されるような、氏名と電話番号と呼数とが対
にされて記憶されるテーブルが備えられている。そこで、制御部５は、発呼の際には、キ
ー入力部５１から入力される相手側の電話番号を受け取り、ＲＡＭ５６に一時記憶し、上
記のステップＳ３において、発呼を示すため、テーブルの上記ＲＡＭ５６に一時記憶した
電話番号対応の呼数のエリアの値に「−１」を加える。勿論、発呼と着呼のエリアを設け
て、発呼のエリアに「＋１」を加えるようにしても良い。
【００３９】
図３により説明した着呼の過程において、制御部５は図５に示されるフローチャートに
対応したプログラムに基づき、着呼のカウントを行う。即ち、図３に示すように、ＰＨＳ
端末装置と基地局との間においてＰＨＳ端末装置に対する着呼によるシーケンスの処理が
行われ、ＰＨＳ端末装置がＣＣ応答信号２２１を基地局に対して送信すると、制御部５は
応答確認信号（図３の２２２）の到来を待つ（Ｓ４（呼受付検出手段））。そして、応答
確認信号が到来すると、着呼のカウントを行い（Ｓ５（カウント手段））、通話を行うモ
ードへ移行する。このように、本実施の形態では、着ユーザがオフフックして応答メッセ
ージが到来したことを網が検出したことに基づき返送してくるＣＣ応答確認信号により、
網による呼受付がなされたことを検出している。このため、通話しなかった着呼のカウン
トがなされず適切な呼数を得ることができる。
【００４０】
前述の通り、ＥＥＰＲＯＭ５９には、図６に示されるような、氏名と電話番号と呼数と
が対にされて記憶されるテーブルが備えられている。そこで、制御部５は、着呼の際には
、呼設定メッセージ２０９に含まれる発呼側端末の電話番号を受け取り、ＲＡＭ５６に一
時記憶し、上記のステップＳ５において、着呼を示すため、テーブルの上記ＲＡＭ５６に
一時記憶した電話番号対応の呼数のエリアの値に「＋１」を加える。勿論、発呼と着呼の
エリアを設けて、着呼のエリアに「−１」を加えるようにしても良い。
【００４１】
以上の結果、電話番号または氏名に対応して、発呼と着呼のカウント値が適切に記録さ
れて行く。そして、このカウント値は、機能キーの操作により呼び出して表示部５２に表
示させることができる。例えば、発呼と着呼のカウント値の表示を求める機能キー（特別
のキーは必ずしも必要でなく、テンキーや＃キーや＊キーの組み合わせでもよい）と、表
示したい電話番号を入力すると、制御部５は図６のテーブルから対応のカウント値と氏名
、電話番号を読み出し、これを表示データに加工して表示部５２へ送出して表示を行う。
勿論、図６のテーブルを一覧リストとして表示してもよい。
【００４２】
なお、以上では呼制御信号の中で、ＰＨＳ端末装置が応答したことを網が検出したこと
に応じて送信される呼制御信号（応答信号、応答確認信号）を用いたが、着呼の場合には
自装置のオフフックを検出して、着呼のカウントを行うこともできる。また、音声を検出
して、通話への移行を検出することもできる。
【図面の簡単な説明】
【００４３】
【図１】本発明の実施の形態に係る電話装置の構成図。
【図２】ＰＨＳ端末装置による発呼時のシーケンスを示す図。
【図３】ＰＨＳ端末装置による着呼時のシーケンスを示す図。
【図４】本発明の実施の形態に係る電話装置による発呼カウント動作を説明するためのフローチャート。
【図５】本発明の実施の形態に係る電話装置による着呼カウント動作を説明するためのフローチャート。
【図６】本発明の実施の形態に係る電話装置に備えられる発呼着呼数を登録するテーブルの一例を示す図。
【符号の説明】
【００４４】
１  無線部                          ２  モデム部
３  ＴＤＭＡ部                      ４  通話部
５  制御部                          ６  電源部
５１  キー入力部                    ５２  表示部
５３  計時回路                      ５４  サウンダ
５５  バイブレータユニット          ５６  ＲＡＭ
５７  プログラムＦＲＯＭ            ５８  録再ＦＲＯＭ
５９  ＥＥＰＲＯＭ
【図１】
2006211695.tif 000003
【図２】
2006211695.tif 000004
【図３】
2006211695.tif 000005
【図４】
2006211695.tif 000006
【図５】
2006211695.tif 000007
【図６】
2006211695.tif 000008